(57)【特許請求の範囲】
【請求項１】
テレビやビデオ等のビデオ画像に文字や図形などのＯＳＤ(０n Screen Display)画像を重ねて表示するオン・スクリーン・ディスプレイ機能を実現するために、前記ＯＳＤ画像の色番号に色情報を対応させて記憶する色情報記憶手段と、ＯＳＤ画像のミックス番号に、ＯＳＤ画像のミックス比率１とビデオ画像のミックス比率２を対応させて記憶するミックス情報記憶手段と、表示するＯＳＤ画像の画素毎の色番号を記憶する色番号記憶手段と、表示するＯＳＤ画像の画素毎のミックス番号を記憶するミックス番号記憶手段と、前記色番号記憶手段および前記ミックス番号記憶手段から前記ＯＳＤ画像の色番号およびミックス番号をそれぞれ画素毎に読み出す読出手段と、前記色情報記憶手段を参照して、前記読み出された色番号を色情報に変換する色番号変換手段と、前記ミックス情報記憶手段を参照して、前記読み出されたミックス番号を、ＯＳＤ画像のミックス比率１とビデオ画像のミックス比率２に変換するミックス番号変換手段と、ビデオ画像と前記色番号変換手段で変換された色情報とに、それぞれ前記ミックス比率２と前記ミックス比率１を乗じて、これらの乗算結果を加算することによって、ビデオ画像とＯＳＤ画像をミックスしたミックス画像を生成する演算手段とを備えたことを特微とするＯＳＤ処理装置。
【発明の詳細な説明】
【０００１】
【発明の属する技術分野】
本発明は、テレビジョン、ＶＴＲなどのビデオ画像にサービス情報等を重ねて表示するオン・スクリーン・ディスプレイ機能を有するＯＳＤ処理装置に関する。
【０００２】
【従来の技術】
ビデオ画像のサービス情報等を重ねて表示するためのＯＳＤ処理装置として、例えば、以下のような従来例がある。
特開平１１-１４６２７５号公報に記載された装置は、ビデオ画像とＯＳＤ画像をミックスするための係数として最大４つのパラメータを設定することになっており、ビデオ画像とＯＳＤ画像を重ねあわせる方法として、ＯＳＤ有りで非透明部の場合に、第１のパラメータとビデオ画像を乗算し、第２のパラメータとＯＳＤ画像を乗算し、その各々の乗算結果を加算したものをミックス画像とする。ＯＳＤ有りで透明部の場合には、第３のパラメータとビデオ画像を乗算したものをミックス画像とする。ＯＳＤ無しの場合には、第４のパラメータとビデオ画像を乗算したものをミックス画像とする。
【０００３】
上記した方法によれば、ＯＳＤ有りの非透明部の場合には、第１のパラメータを大きくすると、ビデオ画像にＯＳＤ画像が透けたように、第２のパラメータを大きくすると、ＯＳＤ画像にビデオ画像が透けたような表現をすることが可能になる。また、ＯＳＤ有りで透明部の場合には、ＯＳＤ非透明部画素周辺のＯＳＤ透明表示画素において、第３のパラメータを減らすことにより、ビデオ画像のレベルを小さくして、ＯＳＤ非透明部の画素を目立たせる効果が生まれる。
【０００４】
このようにＯＳＤとビデオ画像からミックス画像を生成し、ＯＳＤをより見易くするための技術が開示されている。
また、通常は、同一のＯＳＤ画像を数フレーム繰り返し、記憶部から読み出し表示し続けている。そして、ＯＳＤ画像を点滅させる際は、点燈時に、ＯＳＤ画像を記憶部から読み出し、非点燈時に、ＯＳＤ画像を記憶部から読み出さないという読み出しの制御をして、あたかも点滅しているかのように見せている。
【０００５】
【発明が解決しようとする課題】
しかしながら、上述の装置のように、ビデオ画像とＯＳＤ画像をミックスする方法が、非透明部の１パターンしかなく、ＯＳＤ画像有りで、非透明表示のＯＳＤ画像とビデオ画像のミックス比率を決定する第１のパラメータと第２のパラメータを変更する場合に、そのミックス比率の変更の度に、各パラメータを記憶する部分の内容を変更する必要がある。
【０００６】
また、ＯＳＤ画像有りで透明部についても同様に、ビデオ画像のレベルを変更する場合に、その都度、第３のパラメータの内容を変更する必要がある。
例えば、隣接するＯＳＤ有りで非透明部の画素間でミックス比率を変更したいとすると、隣接する画素の前画素のＯＳＤ色番号の読み出しと、後画素の色番号の読み出し間に、第１のパラメータと第２のパラメータの値を変更しなければならないが、通常は、この設定の変更は、隣接画素のＯＳＤ色番号を読み出す時間には間に合わない。
【０００７】
このように、従来技術では、同時に表現できるＯＳＤ画像とビデオ画像のミックス比率が非透明部の１パターンしかないために、隣接する画素間でミックス比率を変更するということが困難であり、また、透明表示の場合の第３のパラメータに関しても、同様に隣接する画素間でビデオ画像のレベルを変更するためにパラメータを変更することは困難であるという問題を有している。
また、ＯＳＤ画像点滅時に関して、上記方法が取られるため、ＯＳＤ画像毎に読み出しを、制御することにより点滅させるということは、比較的に簡単にできるが、ＯＳＤ画像の一部分、つまり画素毎に点滅を制御する場合には、困難であるという問題を有している。
【０００８】
本発明は、そのような状況に鑑みてなされたもので、隣接する画素間でＯＳＤ画像とビデオ画像のミックス比率が異なっていても、パラメータを、その変更の度に、書き換える必要がなく、画素毎に色番号とミックス番号を保持することにより、簡単に隣接する画素間で、異なったミックス比率により、ビデオ画像とＯＳＤ画像のミックスをすることを可能にすることを目的とするものである。
更に、本発明は、ＯＳＤ画像を画素毎に簡単に点滅させることを可能にすることを目的とするものである。
【０００９】
【課題を解決するための手段】
本発明は、テレビやビデオ等のビデオ画像に文字や図形などのＯＳＤ(０n Screen Display)画像を重ねて表示するオン・スクリーン・ディスプレイ機能を実現するために、前記ＯＳＤ画像の色番号に色情報を対応させて記憶する色情報記憶手段と、ＯＳＤ画像のミックス番号に、ＯＳＤ画像のミックス比率１とビデオ画像のミックス比率２を対応させて記憶するミックス情報記憶手段と、表示するＯＳＤ画像の画素毎の色番号を記憶する色番号記憶手段と、表示するＯＳＤ画像の画素毎のミックス番号を記憶するミックス番号記憶手段と、前記色番号記憶手段および前記ミックス番号記憶手段から前記ＯＳＤ画像の色番号およびミックス番号をそれぞれ画素毎に読み出す読出手段と、前記色情報記憶手段を参照して、前記読み出された色番号を色情報に変換する色番号変換手段と、前記ミックス情報記憶手段を参照して、前記読み出されたミックス番号を、ＯＳＤ画像のミックス比率１とビデオ画像のミックス比率２に変換するミックス番号変換手段と、ビデオ画像と前記色番号変換手段で変換された色情報とに、それぞれ前記ミックス比率２と前記ミックス比率１を乗じて、これらの乗算結果を加算することによって、ビデオ画像とＯＳＤ画像をミックスしたミックス画像を生成する演算手段とを備えたものである。
【００１２】
【発明の実施の形態】
先ず、本発明のＯＳＤ処理装置の概要について、図面により説明する。
図１は、本発明のＯＳＤ処理装置の要部構成を示すブロック図である。
テレビやビデオ等のビデオ画像に文字や図形などのサービス情報を重ねて表示する場合に、ビデオ画像に重ねるためのサービス情報のＯＳＤ(On Screen Display)画像が、色情報記憶部１００と、ミックス情報記憶部１０１と、色番号記憶部１０２と、ミックス番号記憶部１０３の内容により構成されるものとする。
【００１３】
ここで、色情報記憶部１００の内容は、ＯＳＤ画像の色番号と色情報が対応するようなテーブルを作成するためのものであり、ミックス情報記憶部１０１の内容は、ＯＳＤ画像のミックス番号と、ビデオ画像とＯＳＤ画像をミックスする比率を決定するためのミックス比率が対応するようなテーブルを作成するためのものであり、これらの色情報とミックス情報は、ＯＳＤ画像毎に提供されるものとする。
また、色番号記憶部１０２には、表示するＯＳＤ画像の画素毎の色番号が記憶され、同様に、ミックス番号記憶部１０３には、表示するＯＳＤ画像の画素毎のミックス番号が記憶されるものとする。
【００１４】
そして、ＯＳＤ処理装置は、このＯＳＤ画像を適当なタイミングで読み出すＣＰＵ１０６と、色情報記憶部１００の色情報が書き込まれて、色番号記憶部１０２から読み出された色番号を、色情報に変換する色番号変換テーブル部１０４と、ミックス情報記憶部１０１のミックス比率が書き込まれて、ミックス番号記憶部１０３から読み出されたミックス番号を、ビデオ画像とＯＳＤ画像をミックスする比率に変換するミックス番号変換テーブル部１０４と、該変換されたミックス比率を利用して、ビデオ画像とＯＳＤ色情報をミックスして、ミックス画像を生成する演算回路１０７から構成される。
【００１５】
このようなＯＳＤ処理装置を用いれば、ＯＳＤ画像の画素毎にあるミックス番号を、ビデオ画像とＯＳＤ画像のミックス比率に変換するテーブルを有することにより、ミックス番号がＮ種類あれば、ビデオ画像とＯＳＤ画像のミックス比率もＮ種類の中から選ぶことが可能となり、隣接したＯＳＤ画素間で異なったミックス比率でビデオ画像とＯＳＤ画像をミックスする場合も、予めＯＳＤミックス情報記憶部１０１に従い、ミックス番号変換テーブル部１０５に複数種類のミックス比率を格納し、画素毎に記憶されたミックス番号を読み出すことにより、隣接する画素間を読み出す期間にパラメータ変更をすることなく、隣接する画素間でミックス比率の異なるビデオ画像とＯＳＤ画像のミックス画像を生成することが可能となる。
【００１６】
更に、上記ＯＳＤ処理装置において、記憶するＯＳＤ画像の点滅フラグが有効な場合に、どのような点滅の振舞をするかを記憶させた点滅情報記憶部と、ＯＳＤ画像の画素毎の点滅の仕方を示した点滅フラグ記憶部と、点滅情報記憶部の内容が書き込まれ、読み出された点滅フラグに従い、ＯＳＤ画像の点燈を制御する点滅制御信号を発生する点滅制御回路部と、点滅制御信号によりＯＳＤ画像の点燈と非点燈を制御する点滅切替回路を追加した構成とする。
【００１７】
例えば、ＯＳＤ画像の点滅情報部に格納された点滅のフィールド周期を点滅制御回路に書き込む。点滅制御回路は書き込まれたフィールド周期と読み込まれる点滅番号に従い点滅制御信号を出力する。点滅制御信号が点燈を示す場合には、点燈フラグが有効な画素を点燈する。また、点滅制御信号が非点燈を示す場合には、点滅フラグが有効な画素を非点燈にする。この時、点滅フラグが無効になっている画素については常に点燈しているものとする。
【００１８】
このような処理をすることにより、特別な方法でＣＰＵによるＯＳＤ画像の読み出しを制御することなくＯＳＤ画像の一部分を点滅させることが可能となる。
更に、前記ＯＳＤ処理装置において、ＯＳＤ画像の点燈フラグ記憶部の代わりに、点滅番号記憶部を設けた構成とする。
ここで点滅番号とは、有効か無効かの１パターンのフラグではなく、何種類もの点燈パターンを持つことを意味する。
【００１９】
例えば、Ｎ種類の点燈番号を記憶させる場合には、点滅情報記憶部にＮ個の点滅周期を記憶させる。そして、点滅制御回路では、点滅情報記憶部の内容が書き込まれ、読み出される点滅番号に従い点滅制御信号を出力する。また、点燈切替回路では点燈番号が点燈を示す場合ならばＯＳＤ画像を点燈させる。また、点燈番号が非点燈を示す場合ならば、ＯＳＤ画像を非点燈にさせるようにする。常時、点燈させておく場合には、ある点滅番号を常時点燈するように点滅情報に記憶させれば良い。
このような処理を行うことにより、特別な方法でＯＳＤ画像の読み出しを制御することなくＯＳＤ画像の画素毎に点滅周期を変えて表示することが可能となる。
【００２０】
本発明によるＯＳＤ処理装置の実施例を、図面に基づいて以下に説明する。
（実施例１）
図２は、本発明によるＯＳＤ処理装置の一実施例の構成を示すブロック図である。
色情報記憶部２００、ミックス情報記憶部２０１、色番号記憶部２０２、ミックス番号記憶部２０３、色番号変換テーブル部２０４、ミックス番号変換テーブル部２０５、色番号とミックス番号を読み出す制御をするＣＰＵ２０６は、図１に示す構成要素と共通し、更に、ビデオ画像とミックス番号変換テーブル部２０５から出力されたビデオ画像用のミックス比率２を乗算する乗算器２０７と、色番号変換テーブル部２０４からのＯＳＤ色情報とミックス番号変換テーブル部２０５からのＯＳＤ画像用のミックス比率１を乗算する乗算器２０８と、乗算器２０７で乗算後のビデオ画像と、乗算器２０８で乗算後のＯＳＤ色情報を加算する加算器２０９により構成される演算器から構成される。
【００２１】
図３は、図２のミックス番号変換テーブル部２０５の内部構成を示すブロック図である。
ここで、色情報記憶部２００には、色番号をＹ値(輝度)、Ｃｒ値(赤色差)、Ｃｂ値(青色差)に変換するための情報が、そして、ミックス情報記憶部２０１には、ミックス番号をＯＳＤ色情報と乗算するためのミックス比率１とビデオ画像と乗算するためのミックス比率２の情報が格納されている。また、色番号記憶部２０２には、画素毎の色番号情報が格納され、ミックス番号記憶部２０３には、画素毎のミックス番号情報が格納されている。
そして、ミックス番号変換テーブル部２０５は、ミックス情報記憶部２０１に記憶されたミックス情報をレジスタ３００、３０１に書込み、ミックス番号記憶部２０３から読み出されるミックス番号により、出力するレジスタを切り替えてミックス比率１とミックス比率２を出力する。
【００２２】
図４は、本実施例において、表示されるＯＳＤ画像の一例を示す図である。
このようなＯＳＤ処理装置を用い、いま、図４に示すようなＯＳＤ画像を表示する場合の説明をする。
【００２３】
図５は、図４に示すＯＳＤ画像を表示する際に、色情報記憶部２００に格納される色情報を示す図である。
図６は、同様に、ミックス情報記憶部２０１に格納されるミックス情報を示す図である。
図７は、同様に、色番号記憶部２０２に格納される画素毎の色番号情報を示す図である。
図８は、同様に、ミックス番号記憶部２０３に格納される画素毎のミックス番号情報を示す図である。
【００２４】
本実施例のＯＳＤ処理装置を用いて、図４に示すＯＳＤ画像を表示する場合には、ＯＳＤ画像の色番号とミックス比率を読み出す前に、図５に示した色情報を色番号変換テーブル部２０４に書込み、図６で示されたミックス情報をミックス番号変換テーブル部２０５に書き込む。
その後、ＣＰＵ２０６により、色番号記憶部２０２より図７に示す色番号情報を、色番号変換テーブル部２０４に読み出し、色情報に変換する。
同時に、ＣＰＵ２０６により、ミックス番号記憶部２０３から図８に示すミックス番号をミックス番号変換テーブル部２０５に読み出し、ミックス比率１とミックス比率２に変換する。
【００２５】
そして、ミックス番号変換テーブル部２０５からのミックス比率１と色番号変換テーブル部２０４からの色情報を乗算器２０８で乗算し、ミックス番号変換テーブル部２０５からのミックス比率２とビデオ画像を乗算器２０７で乗算し、その結果を加算器２０９により加算すると、好みの色で、好みのミックス比率によりＯＳＤ画像をビデオ画像とミックスすることが可能となる。
【００２６】
（実施例２）
図９は、本発明によるＯＳＤ処理装置の他の実施例の構成を示すブロック図である。
本実施例のＯＳＤ処理装置は、色情報記憶部９００、ミックス情報記憶部９０１、色番号記憶部９０２、ミックス番号記憶部９０３、点滅情報記憶部９０４、点滅フラグ記憶部９０５、色番号変換テーブル部９０６、ミックス番号変換テーブル部９０７、色番号とミックス番号と点滅フラグを読み出す制御をするＣＰＵ９１３、ビデオ画像とミックス番号変換テーブル部９０７から出力されたビデオ画像用のミックス比率２を乗算する乗算器９０９と、色番号変換テーブル部９０６からのＯＳＤ色情報とミックス番号変換テーブル２０５からのＯＳＤ画像用のミックス比率１を乗算する乗算器９１０と、乗算器９０９で乗算後のビデオ画像と、乗算器９１０で乗算後のＯＳＤ色情報を、点滅制御回路部９０８からの点滅制御信号により切り替えられる点滅切替回路９１２を介して加算する加算器９１１により構成される。
これは、前記実施例１の構成に、更に、点滅情報記憶部９０４と、点滅フラグ記憶部９０５と、点滅制御回路部９０８と、点滅切替回路９１２を追加したものである。
【００２７】
図１０は、図９における点滅制御回路部９０８の詳細な構成を示すブロック図である。
点滅情報記憶部９０４には、点滅フラグが無効(０)ならば、点滅表示を実施しないように、点滅フラグが有効(１）ならば、Ｎフィールド毎に点燈と非点燈を繰り返すという情報が格納されている。
【００２８】
そして、図１０に示す点滅制御回路部９０８では、点滅情報記憶部９０４の内容が書き込まれ、垂直同期信号によりカウントされるプログラマブルＮ進カウンタ１００１からＮフィールド毎にパルスが発生され、トグル・フリップ・フロップ１００２ではパルスが入力される度にトグルする。そして、読み出された画素の点燈フラグが有効ならば、セレクタ１００３で、トグル・フリップ・フロップ１００２の出力を入力し、無効ならば、ＯＳＤ画像を点燈させることを意味する「１」を入力する。
更に、ＯＳＤ画像全体に対して点滅機能の使用の可否を決定するパラメータをＣＰＵより設定することにしている。この機能は、点滅機能の使用が不可ならば、セレクタ１００４で、セレクタ１００３の出力を遮断し、点滅情報、点滅番号に関わらず、常にＯＳＤを点燈させるためのものである。
【００２９】
図１１は、本実施例のＯＳＤ処理装置において、表示されるＯＳＤ画像の一例を示す図である。
図１２は、図１１に示すＯＳＤ画像を表示する際に、点滅情報記憶部９０４に格納される点滅情報を示す図である。
図１３は、同様に、点滅フラグ記憶部９０５に格納される点滅フラグ情報を示す図である。
【００３０】
本実施例のＯＳＤ処理装置を用いれば、図１１に示すようなＯＳＤ画像を表示する場合に、図５で示した色情報、図６で示したミックス情報、図７で示した色番号、図８で示したミックス番号に加えて、図１２で示す点滅情報を点滅情報記憶部９０４に、図１３で示す点滅周期を点滅フラグ記憶部９０５に、それぞれ格納すれば、特別な方法で色番号とミックス番号を制御することなく、単純に繰り返してＯＳＤ画像の画素を順次読み出すことにより部分的に点滅させることが実現される。
【００３１】
（実施例３）
図１４は、本発明によるＯＳＤ処理装置の更に他の実施例の構成を示すブロック図である。
本実施例のＯＳＤ処理装置は、色情報記憶部１４００、ミックス情報記憶部１４０１、色番号記憶部１４０２、ミックス番号記憶部１４０３、点滅情報記憶部１４０４、点滅番号記憶部１４０５、色番号変換テーブル部１４０６、ミックス番号変換テーブル部１４０７、色番号とミックス番号と点滅フラグを読み出す制御をするＣＰＵ１４１３、ビデオ画像とミックス番号変換テーブル部１４０７から出力されたビデオ画像用のミックス比率２を乗算する乗算器１４０９と、色番号変換テーブル部１４０６からのＯＳＤ色情報とミックス番号変換テーブル１４０７からのＯＳＤ画像用のミックス比率１を乗算する乗算器１４１０と、乗算器１４０９で乗算後のビデオ画像と、乗算器１４１０で乗算後のＯＳＤ色情報を、点滅制御回路部１４０８からの点滅制御信号により切り替えられる点滅切替回路１４１２を介して加算する加算器１４１１により構成される。
【００３２】
この例では、実施例２における点滅フラグ記憶部９０５を点滅番号記憶部１４０５に置き換えたもので、この点滅番号記憶部１４０５には、点滅番号に対応するフィールド周期情報が格納される。
このフィールド周期情報は、点滅番号が０の場合には、常時点燈して点滅の表示はしないことになる。そして、点滅番号が１の場合には、Ｎ０フィールド点燈して、続いて、Ｎ０のフィールド非点燈することを繰り返すことになる。同様に、点滅番号が２の場合には、Ｎ１フィールド点燈して、続いて、Ｎ１フィールド非点燈することを繰り返すことになる。同様に、点滅番号が３ならば、Ｎ２フィールド点燈して、続いて、Ｎ２フィールド非点燈することを繰り返すことになる。
【００３３】
図１５は、図１４における点滅制御回路部１４０８の詳細な構成を示すブロック図である。
点滅制御回路部１４０８は、点滅情報に従う複数の点滅制御信号の中から、点滅番号に対応する点滅制御信号を選択するという構成となっている。更に、ＯＳＤ画像全体を点滅番号に関係なく常時点燈を可能とするように、点滅機能ＯＮ／ＯＦＦ信号を設けて、ＣＰＵよりパラメータを設定することにより、ＯＳＤ画像の常時点燈を可能とする。なお、詳細な説明は、図１０に記載の構成による動作と共通するので省略する。
【００３４】
図１６は、本実施例のＯＳＤ処理装置において、表示されるＯＳＤ画像の一例を示す図である。
図１７は、図１６に示すＯＳＤ画像を表示する際に、点滅情報記憶部１４０４に格納される点滅情報を示す図である。
図１８は、図１６に示すＯＳＤ画像を表示する際に、点滅番号記憶部１４０５に格納される点滅番号情報を示す図である。
【００３５】
このようなＯＳＤ処理装置を用いて、図１６のＯＳＤ画像を表示するには、図５の色情報と、図６のミックス情報と、図７の色番号と、図８のミックス番号に加えて、図１７で示すような点滅情報と、図１８で示すような点滅番号とを、点滅情報記憶部１４０４と、点滅番号記憶部１４０５に格納すれば、単純に繰り返して、ＯＳＤ画像の画素を順次読み出すことにより、各画素毎に異なった点滅をさせることが可能となる。
【００３６】
【発明の効果】
本発明によれば、隣接する画素間で異なっていたミックス比率でミックスしようとした場合に、パラメータを書き換えることなく、画素のミックス番号を適当なものに指定することにより異なった比率でビデオ画像とＯＳＤ画像をミックスすることが可能となり、多彩なミックス比率でビデオ画像とＯＳＤ画像のミックス画像を生成することを、単純にＯＳＤ画像を読み出すことで可能となる。従って隣接する画素間でパラメータの変更等の煩雑な制御をすることなく、異なったミックス比率でビデオ画像とＯＳＤ画像をミックスすることが容易になる。
【図面の簡単な説明】
【図１】  本発明のＯＳＤ処理装置の要部構成を示すブロック図である。
【図２】  本発明によるＯＳＤ処理装置の一実施例の構成を示すブロック図である。
【図３】  図２のミックス番号変換テーブル部２０５の内部構成を示すブロック図である。
【図４】  本実施例において、表示されるＯＳＤ画像の一例を示す図である。
【図５】  図４に示すＯＳＤ画像を表示する際に、色情報記憶部２００に格納される色情報を示す図である。
【図６】  図４に示すＯＳＤ画像を表示する際に、ミックス情報記憶部２０１に格納されるミックス情報を示す図である。
【図７】  図４に示すＯＳＤ画像を表示する際に、色番号記憶部２０２に格納される画素毎の色番号情報を示す図である。
【図８】  図４に示すＯＳＤ画像を表示する際に、ミックス番号記憶部２０３に格納される画素毎のミックス番号情報を示す図である。
【図９】  本発明によるＯＳＤ処理装置の他の実施例の構成を示すブロック図である。
【図１０】  図９における点滅制御回路部９０８の詳細な構成を示すブロック図である。
【図１１】  本実施例のＯＳＤ処理装置において、表示されるＯＳＤ画像の一例を示す図である。
【図１２】  図１１に示すＯＳＤ画像を表示する際に、点滅情報記憶部９０４に格納される点滅情報を示す図である。
【図１３】  図１１に示すＯＳＤ画像を表示する際に、点滅フラグ記憶部９０５に格納される点滅フラグ情報を示す図である。
【図１４】  本発明によるＯＳＤ処理装置の更に他の実施例の構成を示すブロック図である。
【図１５】  図１４における点滅制御回路部１４０８の詳細な構成を示すブロック図である。
【図１６】  本実施例のＯＳＤ処理装置において、表示されるＯＳＤ画像の一例を示す図である。
【図１７】  図１６に示すＯＳＤ画像を表示する際に、点滅情報記憶部１４０４に格納される点滅情報を示す図である。
【図１８】  図１６に示すＯＳＤ画像を表示する際に、点滅番号記憶部１４０５に格納される点滅番号情報を示す図である。
【符号の説明】
１００，２００，９００，１４００…色情報記憶部、１０１，２０１，９０１、１４０１…ミックス情報記憶部、１０２，２０２，９０２，１４０２…色番号記憶部、１０３，２０３，９０３，１４０３…ミックス番号記憶部、１０４，２０４，９０６，１４０６…色番号変換テーブル部、１０５，２０５，９０７，１４０７…ミックス番号変換テーブル部、１０６，２０６，９１３，１４１３…ＣＰＵ、１０７…演算回路、２０７，２０８，９０９，９１０，１４０９，１４１０…乗算器、２０９，９１１，１４１１…加算器、３００，３０１…レジスタ、３０２，３０３，１００３，１００４，１５０３，１５０４…セレクタ、９０３，１４０３…ミックス番号記憶部、９０４，１４０４…点滅情報記憶部、９０５…点滅フラグ記憶部、９０８，１４０８…点滅制御回路部、１００１，１５０１…プログラマブルＮ進カウンタ、１００２，１５０２…トグル・フリップ・フロップ（Ｔ−ＦＦ）、９１２，１４１２…点滅切替回路、１４０５…点滅番号記憶部。
【図１】
0003960737.tif 000002
【図２】
0003960737.tif 000003
【図３】
0003960737.tif 000004
【図４】
0003960737.tif 000005
【図５】
0003960737.tif 000006
【図６】
0003960737.tif 000007
【図７】
0003960737.tif 000008
【図８】
0003960737.tif 000009
【図９】
0003960737.tif 000010
【図１０】
0003960737.tif 000011
【図１１】
0003960737.tif 000012
【図１２】
0003960737.tif 000013
【図１３】
0003960737.tif 000014
【図１４】
0003960737.tif 000015
【図１５】
0003960737.tif 000016
【図１６】
0003960737.tif 000017
【図１７】
0003960737.tif 000018
【図１８】
0003960737.tif 000019